(57)【要約】容器手段の首（１）と関連している当接手段（５）と相互作用するために適切なフラップ手段（１０）を備えた開放指示手段（７）であって、前記フラップ手段（１０）は、少なくとも１つの第１の部分（１３）および少なくとも１つの第２の部分（１４）からなり、前記周縁端に関して横に測定される前記少なくとも１つの第２の部分（１４）の大きさは、前記周縁端（２８）に関して、横に測定される前記少なくとも１つの第１の部分（１３）の対応している大きさよりも大きいような開放指示手段（７）；および、当接手段（５）がそこから突設する首（１）からなり、キャップ手段（４）は前記当接手段（５）と相互作用するために適切なフラップ手段（１０）を備え、前記当接手段（５）は、複数の異なった当接要素（１１、１１ａ、１１ｂ）からなり、前記フラップ手段（１０）前記複数の当接要素の２つの当接要素（１１、１１ａ、１１ｂ）の間で定義される隙間手段（１２）において受容されるために適切な少なくとも１つの部分（１４）からなる容器手段からなるキャップ手段。キャップに挿入するための封止手段もまた、記載される。【選択図】図６
2008508151.tif 000002
【特許請求の範囲】
【請求項１】
容器手段の首（１）と関連する当接手段（５）と相互作用するために適切なフラップ手段（１０）を備える開放指示手段（７）からなるキャップ手段であって、前記フラップ手段（１０）は、前記開放指示手段（７）の周縁端（２８）に沿って互いに一緒に配置される少なくとも１つの第１の部分（１３）、および、少なくとも１つの第２の部分（１４）を備え、前記周縁端に関して横に測定される前記少なくとも１つの第２の部分（１４）の大きさは、前記周縁端（２８）に関して横に測定される前記少なくとも１つの第１の部分（１３）の対応している大きさよりも大きいことにおいて特徴付けられるキャップ手段。
【請求項２】
請求項１に記載のキャップ手段であって、前記少なくとも第２の１部分（１４）は、前記周縁端（２８）に関して傾けられ、前記当接手段（５）の表面（１８、１８ａ、１８ｂ）と交互作用するように構成される活性表面（１９、１９ａ、１９ｂ）からなるキャップ手段。
【請求項３】
請求項２に記載のキャップ手段であって、前記活性表面（１９、１９ａ、１９ｂ）は、前記周縁端（２８）から突設する前記少なくとも第２の部分（１４）の側面に得られるキャップ手段。
【請求項４】
請求項２または３に記載のキャップ手段であって、前記少なくとも１つの第１の部分（１４）は、前記当接手段（５）のさらなる表面（１８）と交互作用するように構成されたさらなる活性表面（１７）からなるキャップ手段。
【請求項５】
請求項４に記載のキャップ手段であって、前記さらなる活性表面（１７）は、本質的に前記周縁端（２８）と並列に配置されるキャップ手段。
【請求項６】
請求項４または５に記載のキャップ手段であって、前記活性表面（１９、１９ａ、１９ｂ）および前記さらなる活性の表面（１７）の間で、本質的に直角の上反角が定義されるキャップ手段。
【請求項７】
請求項４または５に記載のキャップ手段であって、前記活性表面（１９、１９ａ、１９ｂ）および前記さらなる活性の表面（１７）の間で、鈍角の上反角（α）が定義されるキャップ手段。
【請求項８】
請求項４または５に記載のキャップ手段であって、前記活性表面（１９、１９ａ、１９ｂ）および前記さらなる活性の表面（１７）の間で、鋭角の上反角（β）が定義されるキャップ手段。
【請求項９】
先行する請求項のいずれかに記載のキャップ手段であって、前記フラップ手段（１０）は、環状の形状を有する連続フラップ（１５、１５ａ、１５ｂ）から構成されるキャップ手段。
【請求項１０】
請求項１から９のいずれかに記載のキャップ手段であって、前記フラップ手段（１０）は、異なった複数のフラップ（２０）から構成されるキャップ手段。
【請求項１１】
そこから隣接手段（５）が突設する首（１）、および、前記当接手段（５）と相互作用するために適切であるフラップ手段（１０）を備えたキャップ手段（４）からなり、前記当接手段（５）は複数の異なった当接要素（１１、１１ａ、１１ｂ）から構成される容器手段であって、前記フラップ手段（１０）は、前記複数の当接要素の２つの連続的な当接要素（１１、１１ａ、１１ｂ）間で定義された隙間手段（１２）において受容されるのに適切な少なくとも１つの部分（１４）から構成されることにおいて特徴付けられる容器手段。
【請求項１２】
請求項１１に記載の容器手段であって、前記複数の当接要素の各々の当接要素（１１、１１ａ、１１ｂ）が、前記容器手段の開放（２５）によって定義される平面に関して傾き、前記フラップ手段（１０）の活性表面（１９、１９ａ、１９ｂ）と交互作用するように構成された表面（１８、１８ａ、１８ｂ）から構成される容器手段。
【請求項１３】
請求項１２に記載の容器手段であって、前記活性表面（１９、１９ａ、１９ｂ）は、前記少なくとも１つの部分（１４）の側面に得られる容器手段。
【請求項１４】
請求項１２または１３に記載のキャップ手段であって、前記複数の当接要素の各々の当接要素（１１、１１ａ、１１ｂ）は、前記フラップ手段（１０）のさらに活性の表面（１７）と交互作用するように構成されたさらなる表面（１６）からなるキャップ手段。
【請求項１５】
請求項１４に記載のキャップ手段であって、前記フラップ手段（１０）は、前記さらなる表面（１６）が得られる少なくとも１つのさらなる部分（１３）からなるキャップ手段。
【請求項１６】
請求項１５に記載の装置であって、前記少なくとも１つの部分（１４）、および、前記少なくとも１つのさらなる部分（１３）は、開放指示手段（７）の周縁端（２８）に沿って互いに一緒に配置され、前記周縁端に関して横に測定される前記少なくとも１つの部分（１４）の大きさは、前記周縁端（２８）に関して横に測定される前記少なくとも１つのさらなる部分（１３）の対応している大きさよりも大きい装置。
【請求項１７】
請求項１４から１６のいずれか１つに記載のキャップ手段であって、前記さらなる表面（１６）は、前記開放（２５）により定義された平面と本質的に並列して配置されるキャップ手段。
【請求項１８】
請求項１４から１７のいずれか１つに記載のキャップ手段であって、前記表面（１８、１８ａ、１８ｂ）および前記さらなる表面（１６）間に本質的に直角の上反角が定義されるキャップ手段。
【請求項１９】
請求項１４から１７のいずれか１つに記載のキャップ手段であって、前記表面（１８、１８ａ、１８ｂ）および前記さらなる表面（１６）間に鈍角の上反角（α１）が定義されるキャップ手段。
【請求項２０】
請求項１４から１７のいずれか１つに記載のキャップ手段であって、前記表面（１８、１８ａ、１８ｂ）および前記さらなる表面（１６）間で鋭角の二面角の（β１）角度が定義されるキャップ手段。
【請求項２１】
請求項１１から２１のいずれか１つに記載のキャップ手段であって、前記フラップ手段は、（１０）は、環状の形状を有する連続フラップ（１５、１５ａ、１５ｂ）からなるキャップ手段。
【請求項２２】
請求項１１から２１のいずれか１つに記載のキャップ手段であって、前記フラップ手段（１０）は、複数の異なったフラップ（２０）からなるキャップ手段。
【請求項２３】
前記首（１）の口（３３）と相互作用するために適切である突起（３２）がそこから突設する中央の領域（３１）からなる容器の首（１）と連動可能なキャップ（４）のための封止装置であって、前記中央の領域（３１）の外側的に前記突起（３４）から延長する本質的に平坦な環状の部分（３４）をさらに備えることにおいて特徴付けられる封止装置。
【請求項２４】
請求項２３に記載の封止手段であって、前記環状の部分（３４）が容易に変形可能である材料でできている封止手段。
【請求項２５】
請求項２３または２４に記載の封止手段であって、前記環状の部分（３４）が前記中央の領域（３２）と同一の平面上にある封止手段。
【請求項２６】
請求項２３から２５のいずれか１つに記載の封止手段であって、前記突起（３２）は、前記環状の部分（３４）に対して本質的に垂直に配置される封止手段。
【請求項２７】
容器の首（１）と連動可能なキャップ手段（４）および前記キャップ手段（４）および前記首（１）の間に入れられるために適切な封止手段（３０）からなり、前記封止装置（３０）は、前記首（１）の口（３３）と相互作用するために適切な環状の部分（３４）からなる閉止手段であって、前記キャップ手段（４）が前記首（１）上で締められる場合、前記キャップ手段（４）は、前記環状の部分（３４）と相互作用するために配置される押圧手段（４３）を内部に備えることにおいて特徴付けられる閉止手段。
【請求項２８】
請求項２７に記載の閉止手段であって、前記環状の部分（３４）は、前記キャップ手段（４）が前記首（１）上で締められる場合、前記キャップ手段（４）および前記首（１）の間で定義される空間（３８）を占めるように変形可能な材料でできている閉止手段。
【請求項２９】
請求項２７または２８に記載の閉止手段であって、前記環状の部分（３４）は、前記中央の領域（３２）と同一平面上にある閉止手段。
【請求項３０】
請求項２７から２９のいずれか１つに記載の閉止手段であって、前記突起（３２）は、前記環状の部分（３４）に対して本質的に垂直に配置される閉止手段。
【請求項３１】
請求項２７から２９のいずれか１つに記載の閉止手段であって、前記キャップ手段（４）は、前記首（１）と関連した当接手段（５）と相互作用するための適切であるフラップ手段（１０）を備えた開放指示手段（７）からなり、前記フラップ手段（１０）は、前記開放指示手段（７）の周縁端（２８）に沿って、互いに一緒に配置される少なくとも１つの第１の部分（１３）および少なくとも１つの第２の部分（１４）からなり、前記周縁端に関して横に測定される前記少なくとも１つの第２の部分（１４）の大きさは、前記周縁端（２８）に関して横に測定される前記少なくとも１つの第１部分（１３）の対応している大きさよりも大きい閉止手段。
【請求項３２】
請求項３１に記載の閉止手段であって、前記少なくとも１つの第２の部分（１４）は、前記周縁端（２８）に関して傾けられた活性表面（１９、１９ａ、１９ｂ）からなり、前記当接手段（５）の表面（１８、１８ａ、１８ｂ）と相互作用するように構成される閉止手段。
【請求項３３】
請求項３２に記載の閉止手段であって、前記活性表面（１９、１９ａ、１９ｂ）は、前記周縁端（２８）から突設する前記少なくとも第２の部分（１４）の側面において得られる閉止手段。
【請求項３４】
請求項３２または３３に記載の閉止手段であって、前記少なくとも１つの第１の部分（１４）は、前記当接手段（５）のさらなる表面（１８）と相互作用するように構成されたさらなる活性表面（１７）からなる閉止手段。
【請求項３５】
請求項３４に記載の閉止手段であって、前記さらなる活性表面（１７）は前記周縁端（２８）と本質的に並列して配置される閉止手段。
【請求項３６】
請求項３４または３５に記載の閉止手段であって、前記活性表面（１９、１９ａ、１９ｂ）および前記さらなる活性表面（１７）間に本質的に直角の上反角が定義される閉止手段。
【請求項３７】
請求項３４または３５に記載の閉止手段であって、前記活性表面（１９、１９ａ、１９ｂ）および前記さらなる活性表面（１７）間に鈍角の上反角（α）が定義される閉止手段。
【請求項３８】
請求項３４または３５に記載の閉止手段であって、前記活性表面（１９、１９ａ、１９ｂ）および前記さらなる活性表面（１７）間に鋭角の上反角（β）が定義される閉止手段。
【請求項３９】
請求項２７から３８のいずれか１つに記載の閉止手段であって、前記フラップ手段（１０）は、環状の形状を有する連続フラップ（１５、１５ａ、１５ｂ）からなる閉止手段。
【請求項４０】
請求項２７から３８のいずれか１つに記載の閉止手段であって、前記フラップ手段（１０）は、複数の異なったフラップ（２０）からなる閉止手段。
【発明の詳細な説明】
【技術分野】
【０００１】
本発明は、容器の首と関連している当接手段、および、安全リング手段を備える開放指示装置および当接手段と相互作用するように配置されたフラップ手段を備えるキャップ手段からなる閉止手段に関する。発明は、キャップ手段と連動可能であり、キャップ手段および容器の首の口の間に入れられるために適切である封止手段にさらに関連する。
【発明の開示】
【０００２】
キャップは、キャップの基部本体を定義するために下壁と協働する第１の部分、および、容器において実装される製品の完全性をユーザに知らせるために適切な開放指示装置を構成する第２の部分からなる円柱状の裾部から構成されていることが公知である。第２の部分は、容器の首において得られる突起と相互作用するリングから構成される。突起は環状に形成され、首の側壁から突設する。
【０００３】
第１の部分および第２部分は、複数の切込みからなる名目上の開放線、または円柱状の裾部を通過し、容器の最初の開放の間に分裂される意図を有し、第１の部分および第２部分の間で延長するブリッジ要素によって離間する開放部によって切り離される。
複数のフラップは、― 使用中に ― キャップの内部および上部に面するリングの端領域から突設する。容器の第１の開放の瞬間、フラップは、容器の首からリングの分離を妨げ、ブリッジ要素の破損を進めるために突起と相互作用する。
【０００４】
上記のキャップの欠点は、分裂される前に、キャップの基部本体とリングが一体的に回転することができるようにブリッジ要素が変形する可能性があるという事実から構成される。
これは、容器が開けられることができるゆえに、部分的に開放指示手段の効果を無効にするので、内容の一部が取り去られ、ブリッジ要素を壊さずにおそらく置き換えられてしまう。
【０００５】
結果として、ユーザは、容器全体から不正をされたものを区別することができない。キャップはさらに、それらが関連する容器の密封した閉止を可能にするために配置される密閉要素を備えることが公知である。
密閉要素の第１のタイプは、キャップの下壁の内部表面に固定される、例えばエラストマのようなプラスチック材料でできているディスク形の密封機構から構成される。キャップが容器の首において締められる場合、ディスク形の密封機構は、液体の漏れを妨げるように首の口に対して押圧される。
【０００６】
上記のタイプの密閉要素の欠点は、ディスク型の密封機構および口の間の接触は、― 環として本質的に形成された ― むしろ限られた範囲を有する領域で起こるという事実から構成される。
結果として、上記のディスク型の密封機構は、満足な密封を保証することができない。
密閉要素の第２のタイプは、同心の第１の環状のビードおよび第２の環状のビードがそこから逸脱するディスクからなり、第２の環状のビードは、第１の環状のビードより大きい直径を有していて、したがって、後者の外側で配置されている。
【０００７】
第１の環状のビードは、第１の環状のビードの外部壁が首の内部表面と使用する際相互作用するために容器の首の内部で受容されるように構成される。第２の環状のビードは、第２の環状のビードの内部壁が首の外部表面と使用する際相互作用するために部分的に首を囲むように成形される。
第１の環状のビードおよび第２の環状のビード間の距離は、本質的に同じである、または、首を定義する円柱状の壁の厚みよりも短い。上記のタイプの密閉要素の欠点は、それらが精密な寸法公差を必要とするので、その製造は困難を含む可能性があるという事実から構成される。
【０００８】
さらに、このような密閉要素の製造は、むしろ複雑な型の使用を必要とする。
本発明の目的は、周知の閉止手段を改善することである。
本発明の別の目的は、キャップ手段の本体から、開放指示手段の迅速かつ効果的な分離を促進する閉止手段を得ることである。
さらなる目的は、キャップ手段の本が体容器の首から回して外される場合、キャップ手段の本体と一体的に回転しない開放指示手段を備えるキャップ手段を得ることである。
なおさらなる目的は、作成しやすく、容器の首に適用するのが容易であるキャップのための密閉要素を得ることである。
【０００９】
本発明の第１の態様において、容器手段の首と関連している当接手段との相互作用に適切なフラップ手段を備えた開放指示手段からなるキャップ手段が提供され、このキャップ手段は、前記フラップ手段は、少なくとも１つの第１の部分、および、前記開放指示手段の周縁端に沿って、互いに並んで配置される少なくとも１つの第２の部分からなり、前記周縁端に関して横に測定される前記少なくとも１つの第２の部分の大きさは、前記周縁端に関して横に測定される前記少なくとも１の第１の部分の対応している大きさよりも大きいことにおいて特徴付けられる。
【００１０】
本発明の第２の態様において、当接手段がそれから突設する首、および、前記当接手段と相互作用するのに適切なフラップ手段を備えたキャップ手段からなり、前記当接手段は複数の異なる隣接要素からなる容器手段が提供され、この容器手段は、前記フラップ手段は、前記複数の当接要素の２つの連続的な当接要素によって定義される隙間手段において受容されるのに適切な少なくとも１つの部分からなることにおいて特徴付けられる。
キャップ手段は、当接要素の領域と相互作用するように配置される少なくとも１つの第１の部分、および、当接要素のさらなる領域と相互作用するよう配置された少なくとも１つの第２部分を備えるフラップ手段からなる。第１の領域および第２の領域は、相互に傾けられる当接要素の活性表面を定義する。
【００１１】
特に、活性表面のうちの１つは、キャップ手段が容器手段から切り離されるために回転する方向に横に配置される。
このように、表面はキャップ手段の基部本体に、開放指示手段と連結するブリッジ要素を砕かずに回転することができない開放指示手段のための停止手段として作用する。
キャップ手段が極めて限られた角度で首に関して回転された後、ブリッジ要素は壊れる。
これらの本発明の態様のため、それゆえに、開放指示手段によって明確に示された不正なしに手を加えられないキャップ手段を得ることが可能である。
【００１２】
当接要素の活性表面とフラップ手段の少なくとも１つの第１部分および少なくとも１つの第２の部分との相互作用がブリッジ要素の即時の破砕を引き起こすので、キャップ手段が適用される容器の急速な開放を得ることもさらに可能である。
第３の本発明の態様において、前記首の口と相互作用するのに適切である突起が突設する中央の領域からなる、容器の首と連動可能なキャップのための封止装置が提供され、この封止装置は、さらに、前記中央の領域の外側に前記突起から延長する本質的に平坦な環状の部分からなることにおいて特徴付けられる。
【００１３】
第４の本発明の態様において、容器の首と連動可能なキャップ手段、および、前記キャップ手段および前記首の間に入れられるのに適切な封止手段からなる閉止手段が提供され、前記封止手段は、前記首の口と相互作用するために適切な環状の部分から構成される閉止手段であって、この閉止手段は、前記キャップ手段が、前記キャップ手段が前記首の上で締められる場合、前記環状の部分と相互作用するように配置される押圧手段を内部に備えることにおいて特徴付けられる。
【００１４】
これらの本発明の態様のために、有意な製造単純性を有する高い封止効率および容器の首に対する用途と関連する封止手段を得ることは可能である。
特に、発明の封止手段は、平面ディスク型の密封機構よりかなり効果的であり、一対の同心のビードを備えたディスクの密封機構より作成および適用するのが非常に容易である。
実際、動作の間、封止手段の突起は、首内部の内部表面と相互作用する方法で首内部で成形的に連結されるように受容される。
【００１５】
さらに、封止手段が配置されるキャップが首に締められる場合、本質的に平坦な環状の部分は首の外部表面と相互作用するために、部分的にそれを包囲して変形する。
本質的に平坦な環状の部分が、キャップおよび首の間で定義される空間の特定の形状に従ってそれ自体を適合させるので、理論上のものと異なる実寸法を有する首およびキャップの場合であっても満足な密封機構が得られるのを可能にし、したがって改善された封止動作を得ることが可能である。
【００１６】
これは、現状技術による一対の同心のビードを備える円形の密封機構によって得ることができない。
【発明を実施するための最良の形態】
【００１７】
図１から８に関して、容器の開放２５を定義する側壁２４からなる容器の首１が示される。
側壁２４上に、首１と関連されるキャップ４内部で得られる対応しているさらなるねじ３と係合するような方法で、成形されるねじ２が作成される。
キャップ４は、プラスチック材料の圧縮成形、または、別の周知の製造工程によって得ることができる。首１は、キャップ４が提供される開放指示手段７と相互作用するために配置される側壁２４から外周に突設する当接手段５を備える。
【００１８】
開放指示手段７は、容器の第１の開放の瞬間に分裂されることが意図されるブリッジ要素によって、キャップ４の基部本体９に連結されるリング８からなる。
基部本体９は、側面裾部２６および下壁２７によって定義される。
リング８の端部領域から、使用中のフラップ手段１０はキャップ４の内側に配置される。
容器の第１の開放の瞬間に、フラップ手段１０は、ブリッジ要素の破損、および、基部本体９からのリング８の必然的な分離を進めるために当接手段５と相互作用する。
【００１９】
当接手段５は、複数の異なった当接要素１１からなり、当接要素１１は、２つの隣接した当接要素１１の間に隙間１２が定義されるように首１の外部周辺部に沿って配置される。
図２に示すように、フラップ手段１０は、予め設定された周囲の範囲L１および予め設定された高さＨｌを有する第１の部分１３、および、さらに予め設定された周囲の範囲L２および予め設定された高さＨｌより大きいさらに予め設定された高さH２を有する第２の部分１４を備えた環状の形状を有する連続フラップ１５からなる。
【００２０】
第１の部分１３および第２の部分１４は、底部壁２７からより遠いリング８の周縁端２８から突設する。
第１の部分１３の各々は、第１の部分１３および第２の部分１４が交替するように２つの第２の部分１４の間に入れられる。
加えて、予め設定された範囲Ｌ１およびさらに予め設定された範囲Ｌ２は、キャップ４が首１と関連している場合、第２の部分１４は、当接要素１１の間で定義される隙間１２において受容され、したがって、各々の当接要素１１は、第１の部分１３がそれらの間で重なるように２つの連続的な第２の部分１４で受容されるような方法で選ばれる。
【００２１】
当接要素１１は、第１の部分１３の対応している第１の活性表面１７と相互作用するように配置される第１の表面１６、および、第２の部分１４の対応している第２の活性表面１９と相互作用するように配置される第２の表面１８からなる。
第１の表面１６は、本質的に周縁端２８に対して並列であり、本質的に第２の表面１８に垂直に配置される。
【００２２】
第１の活性表面１７は、本質的に開放２５によって定義される平面に対して並列であり、本質的に第２の活性表面１９に垂直に配置される。
容器の第１の開放の瞬間に、キャップ４は図６の矢印Ｆによって示される方向において回転される。
【００２３】
第１のねじ２および第２のねじ３の相互作用によって、キャップ４の首１の縦軸Ｘに対して並列な移動が生じ、キャップ４は、矢印Ｆ１で示すように容器から離れて移動する。
このように、基部本体９は容器から離れて移動するように誘導され、一方、リング８は当接手段５によって首１と接触するように保たれる。
【００２４】
第１の活性表面１７は、現状技術によって作成されたキャップにおいて起こるものと同様、ブリッジ要素の破損を進める引張応力を生成する第１の表面１６と相互作用するようにさせられる。
加えて、第２の活性表面１９は、リング８の基部本体９との一体的な回転を妨げるため、第２の表面１８と相互作用するようにさせられる。
【００２５】
第２の活性表面１９および第２の表面１８の間の相互作用により、ブリッジ要素はそれらを早く壊れさせる剪断応力を受ける。
結果として、ブリッジ要素が砕かれることなく、容器は不正を受けることができず、この破砕は首１に関するキャップ４の極めて限られた回転角の後に起こる。
図８を参照すると、開放指示手段７が、液体の排出を可能にする複数の孔２１は、瓶詰め動作が周縁端２８の近く、フラップ１５によって区切られる開放指示手段７の領域において保持される間、リング８の底部領域、および、キャップ４が作成され、リング８にフラップ１５を相互接続するヒンジを定義する一部の材料によって作成されるような連続フラップ１５からなるバージョンが示される。
【００２６】
孔２１のために、液体の望ましくない集積は、顕著に容器の衛生を改善するために本質的に妨げられる。
さらに孔２１は、リング８が当接手段５を越えて進行させられる場合、それらはフラップ１５の外側への膨張を容易にするので、リング８の変形性を増加させることにより、後者の用途を容易にする。
【００２７】
図３および６を参照すると、フラップ手段１０が、連続フラップ１５よりむしろ互いに独立した複数のフラップ２０からなるようなキャップ４の実施例が示される。
各々のフラップ２０は、図２に関して開示されたものによって構成される第１の部分１３と第２部分１４とを備える。
【００２８】
図９において、図１から８に関して開示されたものに類似した開放２５によって識別される平面に本質的に並列の第１の表面１６を備えるさらなる当接要素１１ａからなる首１の実施例が、示される。
さらなる当接要素１１ａは、さらに、鈍角の上反角αを第１の表面１６と共に形成するさらなる第２の表面１８ａからなる。
【００２９】
図１０を参照すると、それぞれが本質的に周縁端２８と並列した第１の表面１７を備えた第１の部分１３を備えたさらなる連続フラップ１５ａからなるキャップ４のバージョンが示される。
さらなるフラップ１５ａはさらに、それに隣接した第１の活性表面１７とともに本質的に上反角αのそれと同様である振幅を有するさらなる鈍角の上反角βを形成するさらなる第２の活性表面１９ａを各々が備える第２の部分１４からなる。
キャップ４は、図８に関して開示されたものと類似したさらなるフラップ１５ａにおいて得られる孔を備える可能性がある。
【００３０】
図３に関して開示されるように、キャップ４は、さらなるフラップより１５ａよりもむしろ複数のフラップから構成される可能性がある。
図１１に示されるように、キャップ４が首２と関連している場合、各々の第１の活性表面１７が対応する第１の表面１６に面し、さらなる第２の活性表面１９ａの各々が対応するさらなる第２の表面に面するように、各々の第２の部分１４は、２つのさらなる連続的な当接要素１１ａの間で定義される隙間１２において受容される。
【００３１】
容器の第１の開放の瞬間に、首１に関するキャップ４の回転は、さらなる第２の活性表面１９ａがさらなる第２の表面１８ａの上で動くのを誘発する。
結果として、リング８は、さらなる当接要素１１ａから次に離れるように移動する基部本体９から離れるように移動する。
【００３２】
換言すれば、キャップ４が首１を離れてねじ込まれられる場合、リング８および基部本体９は、さらなる当接要素１１ａの対向する部品から相互に離れるように移動し、したがって、ブリッジ要素の早い破損を確実にする。
図１２において、図１から８に関して開示されたものに類似した本質的に開放２５によって識別された平面に対して並列の第１の表面１６を備えたなおさらなる当接要素リブからなる首１のさらなる実施例が、示される。
【００３３】
なおさらなる当接要素のリブはさらに、なおさらなる当接要素リブの先細の領域２２を定義するように第１の表面１６と共に鋭角の上反角αlを形成するなおさらなる第２の表面１８ｂから構成される。
図１３を参照すると、それぞれが本質的に周縁端２８に並列した第１の表面１７を備えた第１の部分１３を備えているなおさらなる連続フラップ１５ｂからなるキャップ４のさらなる実施例が、示される。
【００３４】
なおさらなるフラップ１５ｂはさらに、それに隣接した第１の活性表面１７と共に、本質的に上反角α１のそれと同様である振幅を有するさらなる鋭角の上反角β１を形成するなおさらなる第２の活性表面１９ｂを各々が備えた第２の部分１４から構成される。
第１の活性表面１７およびなおさらなる第２の活性表面１９ｂは、相互の交差領域で、喉部２３を定義する。
【００３５】
図８に関して開示されたものに類似して、キャップ４は、なおさらなるフラップ１５ｂにおいて得られた孔を備えることができる。
キャップ４は、なおさらなる連続フラップ１５ｂの代わりに、図３に関して開示されるように、複数のフラップから構成される可能性がある。
【００３６】
図１４に示すように、キャップ４が首２と関連している場合、各々の第２の部分１４は、各々の第１の活性表面１７は対応する第１の表面１６に面し、各々のなおさらなる第２の活性の表面１９ｂは対応するなおさらなる第２の表面１８ｂに面するように、２つのなおさらなる連続的な当接要素リブの間で定義される隙間１２において受容される。
容器の第一開口部の瞬間、首１に関するキャップ４の回転により、なおさらなる第２の表面１８ｂの上で動くように、なおさらなる第２の活性表面１９ｂは誘発される。
【００３７】
このようにリング８は、なおさらなる当接要素リブと接触されるので、各々の先細の部分２２は、対応する喉部２３内部で成形的に連結された方法で受容される。
結果として、リング８は基部本体９と一体的に回転することができず、それはブリッジ要素の早くの破損を確実にする。
【００３８】
図１０および１１のキャップの図示された実施例、および、図１３および１４のさらなるキャップの図示された実施例において、ブリッジ要素が、第１の活性表面１７の第１の表面１６との相互作用によって生成される引張応力、および、さらに第２の活性表面１９ａのさらなる第２の表面１８ａと、または、それぞれなおさらなる表面１８ｂとのなおさらなる第２の活性表面１９ｂの相互作用によって生成される剪断応力を受けることに留意する必要がある。
【００３９】
図１５および１６を参照すると、封止手段３０は、キャップ４が適用される容器から製品が出るのを妨げるため、例えば開示されたタイプのキャップ４と協働するために配置されて示される。
【００４０】
封止手段３０は、容器の首１の口３３と相互作用するのに適切である突起３２がそこから突設する−ディスク型の−中央の領域３１から構成される。
封止手段３０は、プラスチックの物質で作成されることができる。
封止手段３０はさらに、中央の領域３１の外側の突起３２から延長する本質的に平坦な環状の部分３４から構成される。
【００４１】
環状の部分３４は、キャップ４と接触するために配置された第１の表面３５、および、首１の口３３と接触するよう配置された第２の表面３７を備えた環として形づくられる部分を有する。
キャップ４はさらに、後でさらに詳細に開示されるような環状部分３４と相互作用するために配置された成形された端４３と共に、下壁２７および円柱状の裾部２６の間の境界線領域で提供される。
【００４２】
キャップ４が首１にねじ込まれられる場合、突起３２は口３３内部で成形的に連結されるように受容される。同時に、形成された端４３および口３３の間で締められる環状の部分３４は、特定の変形を受ける。
内部表面３６および口３３の間で定義される隙間３８を本質的に完全に占有するように環状の部分３４がそれ自体を適合させるので、これは、効果的な密封動作が得られることを可能にする。
【００４３】
特に、突起３２により近い環状の部分３４の部品３９が、下壁２７に面する口３３の端領域４０と相互作用し、一方で、突起３２からより遠い環状の部分３４のさらなる部品４１は、側面裾部２６に面する口３３のさらなる端部領域４２と相互作用する。
口３３は、したがって突起３２によって内部で係合され、環状の部分３４によって外側に部分的に包囲される。
【００４４】
その変形性のために、環状の部分３４は、首１の特定の形状に従ってそれ自体を適合させる。したがって、現状技術の密封機構と比較して改善された密封機構が得られることを可能にする。
封止手段３０は、キャップ４とは別であり、キャップが首１にねじ込まれる場合、後者と協働する。容器は、異なる作動モードによって密閉されることができる。
【００４５】
図１５および１６において示される作動モードによれば、封止手段３０は、突起３２が口３１内部で受容されるように首１に配置される。
続いて、キャップ４は首１に配置され、および、それ自体の範囲内で封止手段３０を囲むために後者にねじ込まれる。
【００４６】
示されないさらなる作動モードによれば、封止手段３０はキャップ４に挿入され、キャップのねじでの環状の部分３４の干渉によって、後者の内部に保持されることができる。キャップ４は、突起３２および環状の部分３４が口３１を囲むように続いて首１にねじ込まれる。
【図面の簡単な説明】
【００４７】
本発明は、いくつかの例証的かつ非制限的な実施例を図示する添付の図面に関してよりよく理解され、実行される。
【図１】複数の異なった当接要素からなる当接手段を備えた容器の首の平面図である。
【図２】フラップ手段を備えたキャップ手段の軸方向の部分である。
【図３】図２のそれに類似した図であり、このバージョンによって作成されるフラップ手段を示す。
【図４】図１の部分ＩＶ‐ＩＶである。
【図５】図１の首の側面図である。
【図６】図５の首と関連している図３のキャップ手段の透明な側面図である。
【図７】図５の首と関連している図２のキャップ手段を示す図４のそれに類似した部分である。
【図８】孔を備えたフラップ手段からなるキャップ手段のさらなるバージョンを示す図２のそれに類似した図である。
【図９】図５のそれに類似した図であり、好適な実施例によって作成される当接手段を備えた首を示す。
【図１０】好適な実施例によって作成されるフラップ手段からなるキャップ手段の軸方向の部分である。
【図１１】図６のそれに類似した図であり、図９の首と関連している図１０のキャップ手段を示す。
【図１２】図５のそれに類似した図であり、さらなる好適な実施例によって作成される当接手段を備えた首を示す。
【図１３】さらなる好適な実施例によって作成されるフラップ手段からなるキャップ手段の軸方向の部分である。
【図１４】図６のそれに類似した図であり、図１２の首と関連している図１３のキャップ手段を示す。
【図１５】キャップ手段とは別であり、キャップ手段と協働するのに適切であるキャップ手段および封止手段の部分的に断片的な軸方向の部分である。
【図１６】図１５のそれに類似した部分であり、容器の首に完全にねじ込まれられるキャップ手段、および、キャップ手段および首の間で締められた封止手段を示す。
【図１】
2008508151.tif 000003
【図２】
2008508151.tif 000004
【図３】
2008508151.tif 000005
【図４】
2008508151.tif 000006
【図５】
2008508151.tif 000007
【図６】
2008508151.tif 000008
【図７】
2008508151.tif 000009
【図８】
2008508151.tif 000010
【図９】
2008508151.tif 000011
【図１０】
2008508151.tif 000012
【図１１】
2008508151.tif 000013
【図１２】
2008508151.tif 000014
【図１３】
2008508151.tif 000015
【図１４】
2008508151.tif 000016
【図１５】
2008508151.tif 000017
【図１６】
2008508151.tif 000018
【手続補正書】
【提出日】平成18年7月3日(2006.7.3)
【手続補正１】
【補正対象書類名】特許請求の範囲
【補正対象項目名】全文
【補正方法】変更
【補正の内容】
【特許請求の範囲】
【請求項１】
こわれやすいブリッジ要素、および、容器手段の首（１）と関連した当接手段（５）と相互作用するために適切なフラップ手段（１０）を備えた開放指示手段（７）からなり、前記フラップ手段（１０）は、前記開放指示手段（７）の周縁端（２８）に沿って、互いに一緒に配置される少なくとも１つの第１の部分（１３）、および、少なくとも１つの第２の部分（１４）からなり、前記周縁端の横に測定される前記少なくとも１つの第２の部分（１４）の大きさは、前記周縁端（２８）の横に測定される前記少なくとも１つの第１の部分（１３）の対応している大きさよりも大きいキャップ手段であって、前記少なくとも１つの第２部分（１４）は活性表面（１９、１９ａ、１９ｂ）からなり、前記少なくとも１つの第１の部分（１３）は、さらなる活性表面（１７）からなり、前記活性の表面（１９、１９ａ、１９ｂ）は、前記キャップ手段（４）が前記首（１）から除去される場合、前記ブリッジ要素の破壊を促進する剪断応力を生成し、前記さらなる活性表面（１７）は、前記キャップ手段（４）が前記首（１）から除去される場合、前記ブリッジ要素の破壊を促進する引張応力を生成することにおいて特徴付けられるキャップ手段。
【請求項２】
請求項１に記載のキャップ手段であって、前記活性表面（１９、１９ａ、１９ｂ）は、前記周縁端（２８）に関して傾けられるキャップ手段。
【請求項３】
請求項１または２に記載のキャップ手段であって、前記活性表面（１９、１９ａ、１９ｂ）は、前記周縁端（２８）から突設する前記少なくとも１つの第２の部分（１４）の側面に得られるキャップ手段。
【請求項４】
先行する請求項に記載のキャップ手段であって、前記さらなる活性表面（１７）は、前記周縁端（２８）と本質的に並列して配置されるキャップ手段。
【請求項５】
先行する請求項に記載のキャップ手段であって、前記活性表面（１９、１９ａ、１９ｂ）および前記さらなる活性の表面（１７）間で本質的に直角の上反角が定義されるキャップ手段。
【請求項６】
請求項１から４のいずれか１つに記載のキャップ手段であって、前記活性表面（１９、１９ａ、１９ｂ）および前記さらなる活性の表面（１７）間で鈍角の上反角（α）が定義されるキャップ手段。
【請求項７】
請求項１から４のいずれか１つに記載のキャップ手段であって、前記活性表面（１９、１９ａ、１９ｂ）および前記さらなる活性の表面（１７）間で鋭角の上反角（β）が定義されるキャップ手段。
【請求項８】
先行する請求項に記載のキャップ手段であって、前記フラップ手段（１０）は、環状の形状を有している連続フラップ（１５、１５ａ、１５ｂ）からなるキャップ手段。
【請求項９】
請求項１から８のいずれか１つに記載のキャップ手段であって、前記フラップ手段（１０）は、複数の異なったフラップ（２０）からなるキャップ手段。
【請求項１０】
当接手段（５）がそこから突設する首（１）、および、前記当接手段（５）と相互作用するためのフラップ手段（１０）を備えたキャップ手段（４）からなり、前記当接手段（５）は、複数の異なった当接要素（１１、１１ａ、１１ｂ）からなり、前記フラップ手段（１０）は、前記複数の当接要素の２つの連続的な当接要素（１１、１１ａ、１１ｂ）間で定義された隙間手段（１２）において受容可能な少なくとも１つの部分（１４）からなる容器手段であって、前記フラップ手段（１０）は、少なくとも１つのさらなる部分（１３）からなり、前記少なくとも１つの部分（１４）および前記少なくとも１つのさらなる部分（１３）は、開放指示手段（７）の周縁端（２８）に沿って互いに一緒に配置され、前記周縁端の横に測定される前記少なくとも１つの部分（１４）の大きさは、前記周縁端（２８）の横に測定される前記少なくとも１つのさらなる部分（１３）の対応している大きさよりも大きく、前記少なくとも１つの部分（１４）は、前記当接要素（１１、１１ａ、１１ｂ）の表面（１１、１１ａ、１１ｂ）と相互作用している活性の表面（１９、１９ａ、１９ｂ）からなり、前記少なくとも一つのさらなる部分（１３）は、前記当接要素（１１、１１ａ、１１ｂ）のさらなる表面（１６）と相互作用しているさらなる活性の表面（１７）からなることにおいて特徴付けられる容器手段。
【請求項１１】
請求項１０に記載の容器手段であって、前記表面（１８、１８ａ、１８ｂ）は、前記容器手段の開放（２５）によって定義される平面に関して傾けられる容器手段。
【請求項１２】
請求項１０または１１に記載の容器手段であって、前記活性表面（１９、１９ａ、１９ｂ）は、前記少なくとも１つの部分（１４）の側面に得られる容器手段。
【請求項１３】
請求項１０から１２のいずれか１つに記載のキャップ手段であって、前記さらなる表面（１６）は、前記開放（２５）により定義される平面と本質的に並列して配置されるキャップ手段。
【請求項１４】
請求項１０から１３のいずれか１つに記載のキャップ手段であって、前記表面（１８、１８ａ、１８ｂ）および前記さらなる表面（１６）間に本質的に直角の上反角が定義されるキャップ手段。
【請求項１５】
請求項１０から１３のいずれか１つに記載のキャップ手段であって、前記表面（１８、１８ａ、１８ｂ）および前記さらなる表面（１６）間に鈍角の上反角（α１）が定義されるキャップ手段。
【請求項１６】
請求項１０から１３のいずれか１つに記載のキャップ手段であって、前記表面（１８、１８ａ、１８ｂ）および前記さらなる表面（１６）間に鋭角の二面角の（β１）角度が定義されるキャップ手段。
【請求項１７】
請求項１０から１６のいずれか１つに記載のキャップ手段であって、前記フラップ手段（１０）は、環状の形状を有している連続フラップ（１５、１５ａ、１５ｂ）からなるキャップ手段。
【請求項１８】
請求項１０から１６のいずれか１つに記載のキャップ手段であって、前記フラップ手段（１０）は、複数の異なったフラップ（２０）からなるキャップ手段。
【請求項１９】
前記首（１）の口（３３）と相互作用するために適切である突起（３２）がそこから突設する中央の領域（３１）からなる容器の首（１）と連動可能なキャップ（４）のための封止手段であって、それは、前記中央の領域（３１）の外側に前記突起（３４）から延長する本質的に平坦な環状の部分（３４）をさらに備えることにおいて特徴付けられる封止手段。
【請求項２０】
請求項１９に記載の封止手段であって、前記環状の部分（３４）は容易に変形可能な材料でできている封止手段。
【請求項２１】
請求項１９または２０に記載の封止手段であって、前記環状の部分（３４）が前記中央の領域（３２）と同一平面上にある封止手段。
【請求項２２】
請求項１９から２１のいずれか１つに記載の封止手段であって、前記突起（３２）は、前記環状の部分（３４）に対して本質的に垂直に配置される封止手段。
【請求項２３】
容器の首（１）と連動可能なキャップ手段（４）、および、前記キャップ手段（４）および前記首（１）の間に入れられるために適切な封止手段（３０）からなり、前記封止手段（３０）は、前記首（１）の口（３３）と相互作用するために適切な環状の部分（３４）からなる閉止手段であって、前記キャップ手段（４）は、前記キャップ手段（４）が前記首（１）上で締められる場合、前記環状の部分（３４）と相互作用するために内部に配置される押圧手段（４３）を備えることにおいて特徴付けられる閉止手段。
【請求項２４】
請求項２３に記載の閉止手段であって、前記環状の部分（３４）は、前記キャップ手段（４）が前記首（１）上で締められる場合、前記キャップ手段（４）および前記首（１）間で定義される空間（３８）を占めるように変形可能な材料でできている閉止手段。
【請求項２５】
請求項２３または２４に記載の閉止手段であって、前記環状の部分（３４）は、前記中央の領域（３２）と同一平面上にある閉止手段。
【請求項２６】
請求項２３から２５のいずれか１つに記載の閉止手段であって、前記突起（３２）は、前記環状の部分（３４）に対して本質的に垂直に配置される閉止手段。
【請求項２７】
請求項２３から２６のいずれか１つに記載の閉止手段であって、前記キャップ手段（４）は、前記首（１）と関連している当接手段（５）と相互作用するために適切なフラップ手段（１０）を備えた開放指示手段（７）からなり、前記フラップ手段（１０）は、前記開放指示手段（７）の周縁端（２８）に沿って互いに一緒に配置される少なくとも１つの第１の部分（１３）および少なくとも１つの第２部分（１４）からなり、前記周縁端に関して横に測定される前記少なくとも１つの第２の部分（１４）の大きさは、前記周縁端（２８）の横に測定される前記少なくとも１つの第１部分（１３）の対応している大きさよりも大きい閉止手段。
【請求項２８】
請求項２７に記載の閉止手段であって、前記少なくとも１つの第２の部分（１４）は、前記周縁端（２８）に関して傾き、前記当接手段（５）の表面（１８、１８ａ、１８ｂ）と相互作用するような方法で構成される活性表面（１９、１９ａ、１９ｂ）からなる閉止手段。
【請求項２９】
請求項２８に記載の閉止手段であって、前記活性表面（１９、１９ａ、１９ｂ）は、前記周縁端（２８）から突設する前記少なくとも１つの第２の部分（１４）の側面に得られる閉止手段。
【請求項３０】
請求項２８または２９に記載の閉止手段であって、前記少なくとも１つの第１部分（１４）は、前記当接手段（５）のさらなる表面（１８）と相互作用するように構成されるさらなる活性表面（１７）からなる閉止手段。
【請求項３１】
請求項３０に記載の閉止手段であって、前記さらなる活性表面（１７）は、前記周縁端（２８）と本質的に並列に配置される閉止手段。
【請求項３２】
請求項３０または３１に記載の閉止手段であって、前記活性表面（１９、１９ａ、１９ｂ）および前記さらなる活性の表面（１７）間に本質的に直角の上反角が定義される閉止手段。
【請求項３３】
請求項３０または３１に記載の閉止手段であって、前記活性表面（１９、１９ａ、１９ｂ）および前記さらなる活性表面（１７）間に鈍角の上反角（α）が定義される閉止手段。
【請求項３４】
請求項３０または３１に記載の閉止手段であって、前記活性表面（１９、１９ａ、１９ｂ）および前記さらなる活性の表面（１７）間に鋭角の上反角（β）が定義される閉止手段。
【請求項３５】
請求項２３から３４のいずれか１つに記載の閉止手段であって、前記フラップ手段（１０）は、環状の形状を有している連続フラップ（１５、１５ａ、１５ｂ）からなる閉止手段。
【請求項３６】
請求項２３から３４のいずれか１つに記載の閉止手段であって、前記フラップ手段（１０）は複数の異なったフラップ（２０）からなる閉止手段。
【国際調査報告】
2008508151.tif 000019
2008508151.tif 000020
2008508151.tif 000021
2008508151.tif 000022
2008508151.tif 000023